(57)【要約】      （修正有）【課題】従来の横編機を使用する場合、編成を行う過程で、給糸位置を変更できないという問題を解決する。【解決手段】給糸位置が変更可能な横編機用給糸器であって、当該給糸器は、駆動機構２１と、給糸機構２２とを含む。当該駆動機構は、電子信号により制御され、起動すると推進行程にて移動する駆動板２４を含み、当該給糸機構は、当該駆動板に接続される遷移板２５と、当該遷移板に組み付けられる給糸アーム２６とを含み、当該遷移板はガイド孔２５１を備え、当該給糸アームは当該ガイド孔内に設けられるガイドポスト２６１を備え、当該遷移板は、当該駆動板が当該推進行程にて移動する時に変位行程にて移動し、当該ガイドポストは、当該遷移板が当該変位行程にて移動する時に当該ガイド孔内におけるその位置を変更し、当該給糸アームは、当該ガイドポストが位置を変更する時に給糸位置を変更する。【選択図】図２
2020133010.tif 000002
【特許請求の範囲】
【請求項１】
電子信号により制御され、起動すると推進行程にて移動する駆動板を含む駆動機構と、
前記駆動板に接続される遷移板と、前記遷移板に組み付けられる給糸アームとを含み、前記遷移板はガイド孔を備え、前記給糸アームは前記ガイド孔内に設けられるガイドポストを備え、前記遷移板は、前記駆動板が前記推進行程にて移動する時に変位行程にて移動し、前記給糸アームは、針床に向く給糸端を備え、前記ガイドポストは、前記遷移板が前記変位行程にて移動する時に前記ガイド孔内におけるその位置を変更し、前記給糸アームは、前記ガイドポストが位置を変更する時に前記給糸端の前記針床に対する給糸位置を変更する給糸機構とを含むことを特徴とする給糸位置が変更可能な横編機用給糸器。
【請求項２】
前記ガイド孔は、互いに対向して設けられ、前記ガイドポストに接触する２つの斜面を備え、前記２つの斜面は、前記横編機用給糸器の移動方向に配置され、前記ガイドポストがそのうち１つの前記斜面におけるその位置を変更する時に、前記給糸位置を変更することを特徴とする請求項１に記載の給糸位置が変更可能な横編機用給糸器。
【請求項３】
前記ガイド孔は、台形であることを特徴とする請求項２に記載の給糸位置が変更可能な横編機用給糸器。
【請求項４】
前記駆動板は、遷移板の末端に設けられ、前記遷移板に向けて突起する突起部を備え、前記遷移板は、前記突起部を設けるための載置レールを備えることを特徴とする請求項１、請求項２又は請求項３に記載の給糸位置が変更可能な横編機用給糸器。
【請求項５】
前記給糸機構は、給糸器ガイドロッドに組み付けられる組付け部品を含み、前記組付け部品は、前記遷移板及び前記給糸アームに対応してそれぞれ設けられ、前記遷移板及び前記給糸アームが線形移動を行うように規制する複数の規制ポストを含むことを特徴とする請求項１、請求項２又は請求項３に記載の給糸位置が変更可能な横編機用給糸器。
【発明の詳細な説明】
【技術分野】
【０００１】
本発明は、横編機用給糸器に関し、より詳しくは、給糸位置が変更可能な横編機用給糸器に関する。
【背景技術】
【０００２】
従来は、横編機を使用する場合、給糸構造についての設定が完了した後、給糸位置を変更できず、そして、横編機を用いて編成を行う過程では、編成条件の変更に応じて給糸位置を適宜調整することができないため、給糸位置が誤ってしまうという問題点があった。
【発明の概要】
【発明が解決しようとする課題】
【０００３】
本発明は、従来の横編機を使用する場合において、給糸構造についての設定が完了した後、編成を行う過程で、給糸位置を変更できないという問題を解決することを目的とする。
【課題を解決するための手段】
【０００４】
上記目的を達成するためになされた本発明は、給糸位置が変更可能な横編機用給糸器を提供する。当該横編機用給糸器は、駆動機構と、給糸機構とを含む。当該駆動機構は、電子信号により制御され、起動すると推進行程にて移動する駆動板を含む。当該給糸機構は、当該駆動板に接続される遷移板と、当該遷移板に組み付けられる給糸アームとを含み、当該遷移板はガイド孔を備え、当該給糸アームは当該ガイド孔内に設けられるガイドポストを備え、当該遷移板は、当該駆動板が当該推進行程にて移動する時に変位行程にて移動し、当該給糸アームは、針床に向く給糸端を備え、当該ガイドポストは、当該遷移板が当該変位行程にて移動する時に当該ガイド孔内におけるその位置を変更し、当該給糸アームは、当該ガイドポストが位置を変更する時に当該給糸端の当該針床に対する給糸位置を変更する。
【０００５】
本発明に係る横編機用給糸器の一実施形態において、当該ガイド孔は、互いに対向して設けられ、当該ガイドポストに接触する２つの斜面を備え、当該２つの斜面は、当該横編機用給糸器の移動方向に配置され、当該ガイドポストがそのうち１つの当該斜面におけるその位置を変更する時に、当該給糸位置を変更する。さらに、当該ガイド孔は、台形である。
【０００６】
本発明に係る横編機用給糸器の一実施形態において、当該駆動板は、遷移板の末端に設けられ、当該遷移板に向けて突起する突起部を備え、当該遷移板は、当該突起部を設けるための載置レールを備える。
【０００７】
本発明に係る横編機用給糸器の一実施形態において、当該給糸機構は、給糸器ガイドロッドに組み付けられる組付け部品を含み、当該組付け部品は、当該遷移板及び当該給糸アームに対応してそれぞれ設けられ、当該遷移板及び当該給糸アームが線形移動を行うように規制する複数の規制ポストを含む。
【発明の効果】
【０００８】
本発明の概要にて記載されている内容から分かるように、本発明に係る横編機用給糸器は、従来技術に比べ以下の利点を有する。本発明に係る横編機用給糸器は、当該横編機を用いて編成する過程で給糸位置を変更することにより、給糸位置が誤ってしまうという問題を解決することができる。
【図面の簡単な説明】
【０００９】
【図１】本発明に係る横編機の一実施形態の構造を概略的に示す図である。
【図２】本発明に係る横編機用給糸器の一実施形態における給糸機構の構造を概略的に示す図その１である。
【図３】本発明に係る横編機用給糸器の一実施形態における給糸機構の構造を概略的に示す図その２である。
【図４】本発明に係る横編機用給糸器の一実施形態における給糸機構の一実施例の構造を概略的に示す図である。
【発明を実施するための形態】
【００１０】
以下、関連する各図を参照しながら、本発明に係る横編機用給糸器を詳細に説明する。
【００１１】
図１乃至図４に示すように、本発明は、給糸位置が変更可能な横編機用給糸器２０を提供する。横編機用給糸器２０は、横編機１００における２つの針床１１、１２の間に設定された領域において使用される。また、本発明に係る横編機用給糸器２０は、駆動機構２１と、給糸機構２２とを含み、駆動機構２１は、モータ２３と、モータ２３に接続される駆動板２４とを備える。モータ２３は、横編機１００の編成条件が変更した時に電子信号を受信して制御される。駆動板２４は、モータ２３により連動されて線形移動を行う。
【００１２】
また、図２乃至図４に示すように、給糸機構２２は、駆動板２４に接続される遷移板２５と、遷移板２５に組み付けられる給糸アーム２６とを備える。遷移板２５は、駆動板２４に従って移動するように構成される。本発明に係る横編機用給糸器の一実施形態において、駆動板２４は、遷移板の末端に設けられ、遷移板２５に向けて突起する突起部２４１を備え、遷移板２５は、突起部２４１を設けるための載置レール２５７を備え、載置レール２５７には、起伏を有する部分を設ける必要はなく、突起部２４１が遷移板２５を連動させるようにするものであればよい。
【００１３】
また、遷移板２５は、円孔以外のガイド孔２５１を備える。本発明に係る横編機用給糸器の一実施形態において、ガイド孔２５１は、互いに対向して設けられる２つの斜面２５２、２５３を備え、２つの斜面２５２、２５３は、横編機用給糸器２０の移動軌跡に配置される。ガイド孔２５１は台形であってもよい。また、給糸アーム２６は、ガイド孔２５１内に設けられるガイドポスト２６１を備え、ガイドポスト２６１は、少なくとも遷移板２５のガイド孔２５１に接触するように長さを設定している。また、給糸アーム２６は、そのうち１つの針床１１（又は１２）に向く給糸端２６２を備える。
【００１４】
図１乃至図４を参照しながら、本発明に係る横編機用給糸器２０の構造を具体的に説明する。図３に横編機用給糸器２０の初期状態を示し、図４に調整後の状態を示す。初期状態において、駆動機構２１が電子信号を受信すると動作を開始する。駆動板２４は、連動されて推進行程にて移動し（図３の２４０を参照）、駆動板２４は遷移板２５を連動させて変位行程２５４にて移動する。変位行程２５４における移動も、線形移動である。さらに、遷移板２５が変位行程２５４にて移動する時、ガイド孔２５１が遷移板２５に従って変位すると、ガイドポスト２６１は、ガイド孔２５１内におけるその位置を変更し（図４を参照）、給糸アーム２６はガイドポスト２６１が位置を変更する時に変位し（図４に示す移動方向２９１を参照）、そして給糸端２６２の針床１１（又は１２）に対する当該給糸位置を変更することにより、横編機用給糸器２０の給糸位置を変更する。
【００１５】
図３及び図４に示すように、ガイド孔２５１が２つの斜面２５２、２５３を備える場合に、ガイドポスト２６１は、その時の横編機用給糸器２０の移動方向２７に応じて、２つの斜面２５２、２５３のうちの一方のみに接触する。さらに、ガイドポスト２６１が２つの斜面２５２、２５３のうちの一方に接触する時、各斜面２５２（又は２５３）の頂点２５５と最低点２５６の間に位置し、あるいは頂点２５５又は最低点２５６に位置する。また、ガイド孔２５１が台形である場合に、頂点２５５とは、当該台形の１つの頂角を指し、最低点２５６とは、台形の１つの底角を指す。
【００１６】
図１乃至図３に示すように、本発明に係る横編機用給糸器の一実施形態において、給糸機構２２は、給糸器ガイドロッド３０に組み付けられる組付け部品２８を含む。組付け部品２８は、遷移板２５及び給糸アーム２６に対応してそれぞれ設けられ、遷移板２５及び給糸アーム２６が線形移動を行うように規制する複数の規制ポスト２８１を含む。これにより、これらの規制ポスト２８１の位置は、遷移板２５及び給糸アーム２６の移動時のニーズに応じて設定される。
【符号の説明】
【００１７】
１００         横編機
１１、１２     針床
２０           横編機用給糸器
２１           駆動機構
２２           給糸機構
２３           モータ
２４           駆動板
２４０         推進行程
２４１         突起部
２５           遷移板
２５１         ガイド孔
２５２、２５３ 斜面
２５４         変位行程
２５５         頂点
２５６         最低点
２５７         載置レール
２６           給糸アーム
２６１         ガイドポスト
２６２         給糸端
２７           移動方向
２８           組付け部品
２８１         規制ポスト
２９１         移動方向
３０           給糸器ガイドロッド
【図１】
2020133010.tif 000003
【図２】
2020133010.tif 000004
【図３】
2020133010.tif 000005
【図４】
2020133010.tif 000006
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
電子信号により制御され、起動すると推進行程にて移動する駆動板を含む駆動機構と、
前記駆動板に接続される遷移板と、前記遷移板に組み付けられる給糸アームとを含み、
前記給糸アームは、針床に向く給糸端を備え、前記遷移板は、前記駆動板が前記推進行程にて移動する時に変位行程にて移動し、前記遷移板は台形であるガイド孔を備え、前記給糸アームは前記ガイド孔内に設けられるガイドポストを備え、前記台形のガイド孔は、互いに対向して設けられ、前記ガイドポストに接触する２つの斜面を備え、前記２つの斜面は、横編機用給糸器の移動方向に配置され、前記遷移板は、前記変位行程にて移動する時に前記ガイドの移動と連動して前記ガイド孔内における前記ガイドポストの一つの斜面の位置を変更すると共に、前記給糸アームは、前記ガイドポストが位置を変更する時に前記給糸端の前記針床に対する給糸位置を変更する給糸機構とを含むことを特徴とする給糸位置が変更可能な横編機用給糸器。
【請求項２】
前記駆動板は、遷移板の末端に設けられ、前記遷移板に向けて突起する突起部を備え、前記遷移板は、前記突起部を設けるための載置レールを備えることを特徴とする請求項１に記載の給糸位置が変更可能な横編機用給糸器。
【請求項３】
前記給糸機構は、給糸器ガイドロッドに組み付けられる組付け部品を含み、前記組付け部品は、前記遷移板の一側に突出するように、前記遷移板及び前記給糸アームが設けられる位置にそれぞれ対応する複数の規制ポストを設け、前記規制ポストは、前記遷移板が前記変位行程の方向にのみ線形移動を行うように規制すると共に、前記給糸アームが前記移動方向にのみ線形移動を行うように規制することを特徴とする請求項１に記載の給糸位置が変更可能な横編機用給糸器。